(57)【要約】【課題】  髪を結う際に使用するヘアアクセサリー類，ブラシ・櫛類を一括して収納できる小物入れは専用の物がなく，毎日子供の髪を結う際不便だと感じていた。【解決手段】  フックを複数有する小物入れであって，一つのフック部分にヘアバレッタ・飾りつきヘアゴムをまとめて引っ掛けて収納し，小物入れの仕切り部分には，その他のヘアピン・ヘアアクセサリー類，ブラシ・櫛類を収納する髪結い専用の小物入れ。【選択図】図１
2006247316.tif 000002
【特許請求の範囲】
【請求項１】
フック部分にヘアバレッタ，飾りつきヘアゴムを複数引っ掛け収納する小物入れであって，小物入れ仕切り部分にはヘアピン，ヘアアクセサリー類とブラシ・櫛類を一括して収納できる髪結い小物入れ。
【請求項２】
板状のものにしずく型の穴を開けたものをフックとし，そこに飾りつきヘアゴムの飾り部分を引っ掛けるフックの形状を作ること。
【発明の詳細な説明】
【技術分野】
【０００１】  本発明は，髪結い用の飾りつきヘアゴム，ヘアバレッタ，ヘアピン，その他のヘアアクセサリー類と，髪を結う際に使用するブラシ，櫛類を一括して収納する小物入れに関する。
【背景技術】
【０００２】  従来，髪を結う際に使用する飾りつきヘアゴム・ヘアバレッタ・ヘアピン・その他のヘアアクセサリー類と，ブラシ・櫛類を一括して収納できる小物入れは，専用のものがなく，鏡台の引き出しや，箱などにバラバラにしまっている状態である。毎朝子供の髪を結う際に，洗面所にブラシと櫛をとりに行き，箱などに乱雑に入っているヘアアクセサリーの中から本日使用するものを探すのは，忙しい朝の時間帯の中でとても不便だと感じていた。【０００３】  引き出しや箱などに収納した場合，ヘアアクセサリー類は，その形状，大きさに様々な種類の製品があり，飾りつきヘアゴム同士が絡まったり，ペアの飾りつきヘアゴムなどはバラバラになりがちで使用する際探すのに手間と時間がかかる場合がある。また，ペアの飾りつきヘアゴムが片方紛失していることに気づきにくく，ことに幼児用のヘアゴムについては，ふたつお揃いのものが多く，いつの間にか片方を紛失してしまうことが多々ある。【０００４】  鏡台の引き出しなどに，使用した飾りつきヘアゴムなどを入れっぱなしにした場合，夏場などは髪の油分や汚れなどのためダニなどの小さな虫が発生することもあり，不衛生でもある。
【発明の開示】
【発明が解決しようとする課題】
【０００５】  上述の如く，従来の収納方法では不衛生であり，使用する際には引き出しや箱の中から，ヘアアクセサリー類を探し，ブラシ・櫛類を別に用意しなければならず，朝の忙しい時間帯に時間，手間を有する。また，ペアの飾りつきヘアゴムは片方を紛失していることに気づかない場合があり，探すのに一苦労することがよくある。【０００６】  日ごろから，飾りつきヘアゴム，ヘアバレッタなどが取り出しやすく，しまい易い小物入れで，尚且つ複数ある飾りつきヘアゴム，ヘアバレッタを一目で見分けることができ清潔に収納できる小物入れがあったらと感じていた。さらに，ブラシ・櫛類もまとめて収納できたらと感じていた。
【発明を解決するための手段】
【０００７】  上述の目的を達成する本発明の髪結い小物入れは，フックを複数有する小物入れであって，一つのフック部分にヘアバレッタ，ペアの飾りつきヘアゴムをまとめて引っ掛けることを特徴とする。小物入れの仕切り部分にはその他のヘアピン，ヘアアクセサリー類，ブラシ・櫛類を収納することを特徴とする。
【０００８】  板状のものにしずく型の穴を開けたものをフックとし，そこに飾りつきヘアゴムの飾り部分を引っ掛けることにより，ヘアゴムの飾り部分のみが上部に見えるようになるため一目で探したいヘアゴムを見つけることができる。
【発明の効果】
【０００９】  以上説明したように本発明によれば，髪結い小物入れの一つのフックにペアの飾りつきヘアゴムを二つまとめて引っ掛けることにより，紛失の予防に有効である。また毎朝，本日使用する飾りつきヘアゴム・ヘアバレッタを一目で探すことができる。またフック部分に引っ掛けて収納することにより空気に常に触れるため，衛生的な使用に有効である。使用しないときには，日光の当たる窓際などに置くことにより，日光消毒もすることができ，衛生面でさらに有効である。
【００１０】  ヘアピン・その他のヘアアクセサリー類，ブラシ・櫛等については，小物入れの仕切り部分に収納することにより，本発明の髪結い小物入れ一つで，簡単に髪を結う作業をすることができ，朝の忙しい時間帯に時間の有効につながるものである。ことに幼稚園生や小学生の小さな子供の髪を結う際にはとても役立つものと思われる。
【発明を実施するための最良の形態】
【００１１】  以下，本発明の実施の形態を図面に基づき詳細に説明する。【００１２】  図１〜図３は本発明の第一の実施の形態に係り，図１はその外観斜視図，図２は上から見た際の図，図３は横から見た際の図である。【００１３】  図１の１１の部分は，持ち運びの際の取っ手として使用される。１２部分は両面からフックを取り付け，この一つのフック部分にペアの飾りつきヘアゴムをまとめて引っ掛けることにより，探したい飾りつきヘアゴムを一目で探すことができ，また紛失の防止に役立つ。図２の１４，１５，１６部分にはヘアピン，ヘアアクセサリー類を収納し，１３部分にはブラシ，櫛を収納する。【００１４】  ヘアバレッタを掛けることを特徴とした髪結い小物入れの場合は，図１の１２部分を，図８のＬ字型のフックにすることにより，ヘアバレッタを安定して引っ掛け収納する。【００１５】  図４の１８部分は，板などをしずく型に穴を開け，そこに飾りつきヘアゴムを図５のように引っ掛けるため飾りつきヘアゴムが出し入れし易いよう，入れる側・出す側ともに滑らかな曲線をつける。これにより，飾りつきヘアゴムの飾り部分が図６の１９で示すように上部に見えるようになるため，一目で探したい飾りつきヘアゴムを見つけることができる。【００１６】  図６は，飾りつきヘアゴムをフックに引っ掛けて収納した場合の横から見た際の使用例の図である。フック部分は両面からつけられるため，使用されるヘアアクセサリー類の形に応じて，フックの組み合わせは，例えば丸型のフックと丸型のフックを組み合わせたもの，Ｌ字型のフックとＬ字型のフックを組み合わせたもの，板状のものにしずく型に穴を開けたフックと板状のものにしずく型に穴を開けたフックを組み合わせたもの，丸型のフックとＬ字型のフックを組み合わせたもの，丸型のフックと板状のものにしずく型の穴を開けたフックを組み合わせたものなど色々な組み合わせがあり，この組み合わせは使用されるヘア小物によって，適宜選択されるものである。
【実施例】
【００１７】  飾りつきヘアゴム・ヘアパレッタ・ヘアピンなどのヘアアクセサリー類と，ブラシ・櫛類を一括して収納できる小物入れで，フック部分は，例えば板にしずく型の穴を開けたものと丸型のフックの場合はヘアゴムを引っ掛けることを最適とし，Ｌ字型のフックの場合はヘアバレッタを掛けることを最適とする。【００１８】  以上，本発明の形態及び実施例を説明したが，本発明の範囲はこれに限定されるものでない。例えば，フック部分は両面からフックを取り付けるため，両面が同じ形のフックを取り付けたり，片面ずつフックの形を変えて取り付けたりするなど，板にしずく型に穴を開けたものと丸型のフック・Ｌ字型のフックの，フックとフックとの組み合わせの方法や，フックの数や小物入れの仕切りの数・位置，またフック類，取っ手部分の位置関係，フック類の大きさ，形状などは使用されるヘア小物に応じて適宜選択されるものである。
【産業上の利用可能性】
【００１９】  本発明は散らばりがちになりがちなヘアアクセサリー類の収納に有用な髪結い小物入れとして，製造販売する産業分野で利用することができる。
【図面の簡単な説明】
【００２０】
【図１】  本発明の第１の実施の形態に係る髪結い小物入れの外観斜視図である。
【図２】  上部から見た際の図
【図３】  横から見た際の図
【図４】  板等をしずく型に穴を開けてフックにした場合の図
【図５】  図４のしずく型フックにヘアゴムを引っ掛けた際の使用例の図
【図６】  髪結い小物入れに飾りつきヘアゴムを引っ掛けた場合の横から見た使用例の図
【図７】  使用する丸型のフックの図
【図８】  使用するＬ字型のフックの図
【図１】
2006247316.tif 000003
【図２】
2006247316.tif 000004
【図３】
2006247316.tif 000005
【図４】
2006247316.tif 000006
【図５】
2006247316.tif 000007
【図６】
2006247316.tif 000008
【図７】
2006247316.tif 000009
【図８】
2006247316.tif 000010